【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
第１の接続部を有する第１筒と、
レンズを保持し、前記第１筒に対して前記レンズの光軸方向に移動可能、かつ前記第１筒の前記光軸の径方向の内側に保持され、第２の接続部を有する第２筒と、
前記第１の接続部および前記第２の接続部を電気的に接続するフレキシブルプリント基板と、
を備え、
前記第１筒は、前記径方向に前記第２筒とは反対側へ突出した第１の凸部と、前記径方向に前記第２筒側へ突出した第２の凸部を有し、
前記第１の凸部は、前記フレキシブル基板のうち前記第１および前記第２の接続部の間の第１部分が前記径方向の前記第２筒側に移動することを規制し、
前記第２の凸部は、前記フレキシブル基板のうち前記第１および前記第２の接続部の間の第２部分が前記径方向の前記第２筒とは反対側に移動することを規制する
ことを特徴とするレンズ装置。
【請求項２】
前記第１の凸部と前記第２の凸部とが、前記光軸方向において、互いに異なる位置に配置されている、
ことを特徴とする請求項１に記載のレンズ装置。
【請求項３】
前記光軸方向から見ると、前記第１の凸部と前記第２の凸部とが重なっている、
ことを特徴とする請求項１又は２に記載のレンズ装置。
【請求項４】
前記フレキシブルプリント基板のうち前記第１部分および第２部分の間の部分は、前記第１筒にのみ接触する、
ことを特徴とする請求項１乃至３いずれか１項に記載のレンズ装置。
【請求項５】
前記第１筒は、前記フレキシブルプリント基板の前記光軸方向の移動を規制する規制部を有する、
ことを特徴とした請求項１乃至４いずれか１項に記載のレンズ装置。
【請求項６】
前記フレキシブルプリント基板は、前記光軸方向及び前記径方向と垂直な方向に延びる、２つの延出部を有しており、
前記第１筒には、２つの穴が形成され、前記２つの延出部が前記２つの穴に挿入されることによって、前記フレキシブルプリント基板の前記光軸方向への移動を規制している、
ことを特徴とする請求項１乃至５いずれか１項に記載のレンズ装置。
【請求項７】
前記第２の凸部と前記規制部は、前記フレキシブルプリント基板の前記光軸方向において少なくとも一部が重なっている、
ことを特徴とする請求項５に記載のレンズ装置。
【請求項８】
前記フレキシブルプリント基板のうち、前記第１の凸部と前記第２の凸部との間の部分に配置され、前記径方向への前記フレキシブルプリント基板の変形を低減するための板をさらに備える、
ことを特徴とする請求項１乃至７いずれか１項に記載のレンズ装置。
【請求項９】
前記第２の凸部は、前記径方向において前記第１の凸部よりも前記第２筒の側に突出している、
ことを特徴とする請求項１乃至８いずれか１項に記載のレンズ装置。
【請求項１０】
前記フレキシブルプリント基板は、前記光軸方向において逆方向に折り返された屈曲部と、該屈曲部よりも大きな半径で折り返された湾曲部と、を有する、
ことを特徴とする請求項１乃至９いずれか１項に記載のレンズ装置。
【請求項１１】
前記屈曲部は、該屈曲部が開こうとする力の反力により、前記第１の凸部に保持される、
ことを特徴とする請求項１０に記載のレンズ装置。
【請求項１２】
前記第２の凸部は、前記湾曲部が開こうとする力の反力により、前記第２部分を押すように構成されている、
ことを特徴とする請求項１０又は１１に記載のレンズ装置。
【請求項１３】
前記屈曲部は前記第１の凸部に保持され、
前記第２の凸部は、前記屈曲部のうち前記径方向の最も外側の部分よりも内側に押される、
ことを特徴とする請求項１０乃至１２いずれか１項に記載のレンズ装置。
【請求項１４】
第１の接続部を有する第１筒と、
レンズを保持し、前記第１筒に対して前記レンズの光軸方向に移動可能、かつ前記第１筒の前記光軸の径方向内側に保持され、第２の接続部を有する第２筒と、
前記第１の接続部および前記第２の接続部を電気的に接続するフレキシブルプリント基板と、を備え、
前記第１筒または前記第２筒の一方は、前記第１の接続部と前記第２の接続部の間の前記フレキシブルプリント基板の部分が前記径方向へ移動することを規制する規制部を有し、
前記第１筒は、前記第１の接続部と前記第２の接続部の間の前記フレキシブルプリント基板の部分が前記径方向の外側へ移動することを規制する凸部を有し、
前記フレキシブルプリント基板は、前記光軸方向及び前記径方向と垂直な方向に延びる、２つの延出部を有し、
前記第１筒には、２つの穴が形成され、前記２つの延出部が前記２つの穴に挿入されることによって、前記フレキシブルプリント基板の前記光軸方向への移動を規制する
ことを特徴とするレンズ装置。
【請求項１５】
第１の接続部を有する第１筒と、
レンズを保持し、前記第１筒に対して前記レンズの光軸方向に移動可能、かつ前記第１筒の前記光軸の径方向内側に保持され、第２の接続部を有する第２筒と、
前記第１の接続部および前記第２の接続部を電気的に接続するフレキシブルプリント基板と、を備え、
前記第１筒または前記第２筒の一方は、前記第１の接続部と前記第２の接続部の間の前記フレキシブルプリント基板の部分が前記径方向へ移動することを規制する第１規制部を有し、
前記第１筒は、前記第１の接続部と前記第２の接続部の間の前記フレキシブルプリント基板の部分が前記径方向の外側へ移動することを規制する凸部を有し、
前記第１筒は、前記フレキシブルプリント基板の前記光軸への移動を規制する第２規制部を有し、
前記凸部と前記第２の規制部は、前記光軸方向において少なくとも一部が重なっている、
ことを特徴とするレンズ装置。
【請求項１６】
請求項１乃至１５いずれか１項に記載のレンズ装置と、
前記レンズ装置からの光を受ける撮像素子と、を備えることを特徴とする撮像装置。
【手続補正２】
【補正対象書類名】明細書
【補正対象項目名】０００７
【補正方法】変更
【補正の内容】
【０００７】
本発明のレンズ装置は、第１の接続部を有する第１筒と、レンズを保持し、前記第１筒に対して前記レンズの光軸方向に移動可能、かつ前記第１筒の前記光軸の径方向の内側に保持され、第２の接続部を有する第２筒と、前記第１の接続部および前記第２の接続部を電気的に接続するフレキシブルプリント基板と、を備え、前記第１筒は、前記径方向に前記第２筒とは反対側へ突出した第１の凸部と、前記径方向に前記第２筒側へ突出した第２の凸部を有し、前記第１の凸部は、前記フレキシブル基板のうち前記第１および前記第２の接続部の間の第１部分が前記径方向の前記第２筒側に移動することを規制し、前記第２の凸部は、前記フレキシブル基板のうち前記第１および前記第２の接続部の間の第２部分が前記径方向の前記第２筒とは反対側に移動することを規制することを特徴としている。
【手続補正３】
【補正対象書類名】明細書
【補正対象項目名】００１７
【補正方法】変更
【補正の内容】
【００１７】
５群鏡筒１１２は３群ベース部材１１３と位置決めピンと孔が係合して径方向の位置が決まり、光軸方向で当接してビスで締結されている。４群鏡筒１１１はフォーカス群であり、３群ベース部材１１３と調整コマ１１４に両端を保持されたガイドバー１１５で保持されている。調整コマ１１４は、５群鏡筒１１２に当接し、固定される。４群鏡筒１１１の光軸方向へ進退させる駆動手段は、駆動源となるモータ（不図示）を有する。また、モータ（不図示）により回転される送りねじ（不図示）と、レンズを保持する４群鏡筒１１１と、４群鏡筒１１１に取り付けられ、送りねじ（不図示）に係合するラック（不図示）とにより構成されている。ラック（不図示）は送りねじ（不図示）の回転を光軸方向への駆動力に変換し、４群鏡筒１１１を光軸方向に移動させる。４群鏡筒１１１は、光軸方向に延びる前述のガイドバー１１５に摺動可能に係合することで直進ガイドされる。
【手続補正４】
【補正対象書類名】明細書
【補正対象項目名】００２３
【補正方法】変更
【補正の内容】
【００２３】
また、３群ベース部材１１３に組み込まれたフォーカスリセットスイッチ（不図示）は、フォトインタラプタにより構成されている。フォトインタラプタは、４群鏡筒１１１に形成された遮光壁（不図示）の光軸方向への移動を光学的に検出する。フォーカスリセットスイッチは、４群鏡筒１１１が基準位置に位置していることを検出するために設けられている。
【手続補正５】
【補正対象書類名】明細書
【補正対象項目名】００２５
【補正方法】変更
【補正の内容】
【００２５】
フレキシブル基板９は光量調整装置１０９を駆動するための電力及び駆動信号を基板１２０を介して、カメラ本体から供給する。フレキシブルプリント基板９は、光量調整装置のモータに接続されている。このフレキシブルプリント基板９は、固定筒（第１の接続部）と移動筒の両方に電気的に接続されており、移動筒が移動した際には、フレキシブルプリント基板が適宜変形することにより、両方の筒の接続を維持する構成となっている。
【手続補正６】
【補正対象書類名】明細書
【補正対象項目名】００２７
【補正方法】変更
【補正の内容】
【００２７】
［フレキシブルプリント基板の厚み方向規制］
図２から図５を用いてフレキシブルプリント基板の厚み方向規制について説明する。光量調整装置１０９（第２の接続部）に接続されているフレキシブルプリント基板９の一部である９ａは両面テープ、接着剤等を用いて３群ベース部材（移動筒）１１３に固定される。
【手続補正７】
【補正対象書類名】明細書
【補正対象項目名】００２８
【補正方法】変更
【補正の内容】
【００２８】
フレキシブルプリント基板９はそのうちの一箇所で略１８０度に折り曲げられ、この折り曲げ部９ｃは案内筒（固定筒）１０３に設けられた開口部（フレキシブルプリント基板を挟み込む第１規制部）１０３ｂに挿入されている。この開口部１０３ｂがフレキシブルプリント基板を挟み込む（折り曲げられた部分が広がらないように挟み込む）ことによって、この開口部１０３ｂよりも移動筒側の基板を固定筒側に近づける機能を果たしている。ここでは、この開口部１０３ｂの開口の縁の一部を構成する第１の凸部（第１規制部、第１のフレキシブルプリント基板厚み方向規制部）１０３ａと９ｄとで径方向で当接（接触）する。このとき折り曲げ部９ｃが開こうとする反力により案内筒１０３の第１の凸部（１０３ａ）および案内筒１０３との間で、９ｄの位置は固定される。
【手続補正８】
【補正対象書類名】明細書
【補正対象項目名】００３０
【補正方法】変更
【補正の内容】
【００３０】
フレキシブルプリント基板９は第１の凸部（固定筒に設けられた第１規制部）１０３ａと３群ベース部材（移動筒）１１３との固定部９ａとの間でＲ部９ｂが形成される。ズーム操作環１１６によりズーム動作がなされると、３群ベース部材１１３が光軸方向に進退する。このため、案内筒１０３とフレキシブルプリント基板９の固定部（移動筒側の固定部）９ａとの光軸方向の相対関係が変化し、Ｒ部９ｂの光軸方向の位置も進退する。
【手続補正９】
【補正対象書類名】明細書
【補正対象項目名】００３３
【補正方法】変更
【補正の内容】
【００３３】
ここで、光軸方向の移動範囲を決定する開口部１０３ｆ、１０３ｇの光軸方向長さは、フレキシブルプリント基板の延出部９ｆ、９ｇの幅よりも若干長くなるように構成されている（５％以上２０％未満の範囲内で長いことが望ましい）。このように構成すれば、組み立てが容易で、且つフレキシブルプリント基板がほぼ光軸方向に移動させないようにすることができる。更には、フレキシブルプリント基板が擦れて劣化したり、音が鳴ったりする可能性を下げることができる。より好ましい形態として、光軸方向の移動範囲を決定する開口部１０３ｆ、１０３ｇの光軸方向長さと、フレキシブルプリント基板の延出部９ｆ、９ｇの幅は同一としても良い。このように構成すれば、延出部９ｆ、９ｇが開口部１０３ｆ、１０３ｇにそれぞれ挿入された後に光軸方向に実質的に動かない構成となるため、上述の効果をより顕著に得ることができる。